(57)【要約】【課題】可及的に小型化を図った紙幣処理装置を提供する。【解決手段】投入紙幣の真偽を判別するとともに、真券と見做された紙幣Ｂをスタッカ４０内に積載収容するようにした紙幣処理装置１において、真券と見做された紙幣Ｂを二つ折りに折り曲げてスタッカ４０内に収容する紙幣二つ折り曲げ収容手段５０を配設するようにした。【選択図】　図１
2004133676.tif 000002
【特許請求の範囲】
【請求項１】
投入紙幣の真偽を判別するとともに、真券と見做された紙幣をスタッカ内に積載収容するようにした紙幣処理装置において、
前記真券と見做された紙幣を二つ折りに折り曲げて前記スタッカ内に収容する紙幣二つ折り曲げ収容手段を配設するようにしたことを特徴とする紙幣処理装置。
【請求項２】
前記紙幣二つ折り曲げ収容手段は、投入紙幣を案内する略Ｊ字形状の紙幣案内通路と、該紙幣案内通路の上流端から中流の折れ曲り域に至る直線部分に配設された紙幣押圧手段とからなることを特徴とする請求項１に記載の紙幣処理装置。
【請求項３】
前記紙幣押圧手段は、前記紙幣案内通路を構成するシュートの一部を形成するとともに、該紙幣案内通路の前記直線部分に位置決めされ、真券と見做された紙幣を押圧する押圧板と、該押圧板を上下に往復移動させるリンク式アーム手段と、該リンク式アーム手段を駆動する駆動手段とからなることを特徴とする請求項２に記載の紙幣処理装置。
【発明の詳細な説明】
【０００１】
【発明の属する技術分野】
この発明は、投入紙幣の真偽を判別するとともに、真券をスタッカ内に収容するようにした紙幣処理装置に関し、特に形状の小型化を図った紙幣処理装置に関する。
【０００２】
【従来の技術】
従来から、自動販売機、ゲーム機等の機器内には、投入紙幣の真偽を判別し、偽券を返却するとともに、真券をスタッカ内に収容するようにした紙幣処理装置が配設されている。
【０００３】
この従来の紙幣処理装置としては、本願出願人が先に提出した特開平６−１５０１０６号等がある。
【０００４】
一方、このような従来の紙幣処理装置のスタッカでは、真券と見做された紙幣をその長手方向に沿って引き伸ばした状態でスタッカ内に積載収容するため、その長さは少なくとも取り扱う紙幣の長さよりも若干長い長さに設定せざるを得なかった。
【０００５】
【発明が解決しようとする課題】
ところで、上述した従来の紙幣処理装置によると、真券を収容するスタッカの長さは紙幣をその長手方向に沿って引き伸ばした状態で積載収容するため、少なくとも収容する紙幣の長さよりも長く設定しなければならず、このため紙幣処理装置の小型化を図る上で障害となっていた。
【０００６】
この発明は、上述した事情に鑑み、可及的に小型化を図った紙幣処理装置を提供することを目的とする。
【０００７】
【課題を解決するための手段】
上述した課題を解決するため、この発明では、投入紙幣の真偽を判別するとともに、真券と見做された紙幣をスタッカ内に積載収容するようにした紙幣処理装置において、前記真券と見做された紙幣を二つ折りに折り曲げて前記スタッカ内に収容する紙幣二つ折り曲げ収容手段を配設するようにしている。
【０００８】
【発明の実施の形態】
以下、この発明に係わる紙幣処理装置の一実施例を詳述する。
【０００９】
図１はこの発明に係わる紙幣処理装置１の概念断面図である。
【００１０】
この紙幣処理装置１は断面が矩形状の筐体２からなり、その正面２ａには紙幣投入口３が形成され、この紙幣投入口３には投入紙幣をガイドするガイド板４が配設されている。
【００１１】
一方、前記筐体２内には、後述する紙幣二つ折り曲げ収容手段の一部を構成する略Ｊ字形状の紙幣案内通路５が形成されている。そして、その上流端５ａは前記紙幣投入口３に連通している。
【００１２】
上述した紙幣案内通路５は、その上流端５ａから中流の折れ曲り域５ｂに渡り直線状に形成され、かつその直線部分５ｄの長さＬが取り扱う紙幣の長さＬ´よりも短く設定されている。また、中流の折れ曲り域５ｂから下流端５ｃへ向けＵ字形状に湾曲形成され、これにより全体として紙幣案内通路５は略Ｊ字形状に形成されている。
【００１３】
一方、上述した紙幣案内通路５には、紙幣投入口３から投入された紙幣を当該紙幣案内通路５に沿って搬送する紙幣搬送手段１０が配設されている。
【００１４】
この紙幣搬送手段１０は図１のＡＡ要部概念断面図で示す図２のように、投入紙幣の幅方向両端部に接触する一対の紙幣搬送ベルト１１と、この一対の紙幣搬送ベルト１１を巻回する３対のプーリ１２（図１）、１３、１４とから構成されている。なお、この各プーリ１２、１３、１４は対応する各軸１５（図１）、１６、１７にそれぞれ回転自在に支承されている。
【００１５】
従って、上述した各プーリ１２、１３、１４の一つが図示せぬモータ等の駆動装置により一方向へ回転駆動されると、それに従動して各プーリ１２、１３、１４に巻回された一対の紙幣搬送ベルト１１が回転し、投入紙幣を紙幣案内通路５に沿って、その下流に搬送することとなる。なお、各プーリ１２、１３、１４と対向する位置には、図１に示すように投入紙幣を一対の紙幣搬送ベルト１１に押し付ける各一対のプレッシャーローラ２０、２１、２２、２３、２４が配設されている。
【００１６】
なお、図２で、符号５２は後述する紙幣押圧手段５１の押圧板５２であり、またこの紙幣案内通路５には、当該押圧板５２の上下動（図２の紙面垂直方向への移動）を許容する紙幣押出し孔８０が形成されている。
【００１７】
一方、図１に示すように、上述した紙幣案内通路５の上流部分には、磁気センサー３０及び図示せぬ光センサー等からなる紙幣識別手段３１が配設され、また、磁気センサー３０と対向する位置には当該磁気センサー３０に投入紙幣を押し付けるプレッシャーローラ３２が配設されている。
【００１８】
また、紙幣案内通路５を挟み筐体２の下方には投入された紙幣のうち真券と見做された紙幣を収容するスタッカ４０が形成されている。
【００１９】
そして、このスタッカ４０内には、紙幣を支えるスタックテーブル４１とこのスタックテーブル４１を下方から押圧するプレススプリング４２とからなるスタッカ手段４３が配設されている。
【００２０】
一方、上述した筐体２内には、紙幣案内通路５内に投入された真券と見做された紙幣を二つ折りに折り曲げてスタッカ４０内に収容する紙幣二つ折り曲げ収容手段５０が配設されている。
【００２１】
この紙幣二つ折り曲げ収容手段５０は、前述した略Ｊ字形状の紙幣案内通路５と、前記スタッカ４０と対向する位置であって、しかも前記紙幣案内通路５の上流端５ａから中流の折れ曲り域５ｂに至る直線部分５ｄ配設された紙幣押圧手段５１とから構成されている。
【００２２】
このうち、紙幣押圧手段５１は、紙幣案内通路５の上面シュートの一部を構成するとともに、当該紙幣案内通路５の直線部分５ｄに位置決めされ、真券と見做された紙幣を下方へ押圧するす押圧板５２と、この押圧板５２を上下に往復移動させるパンタグラフ構造のリンク式アーム手段５３と、このリンク式アーム手段５３を駆動する駆動手段５４とから構成されている。
【００２３】
このうち、リンク式アーム手段５３は軸６０を中心に互いに回動自在に支承された一対のリフトアーム６１、６２からなり、このうち一方のリフトアーム６１の後端は、筐体２等に支承された軸５２ｃに回動自在に支承されている。またリフトアーム６１の先端にはガイド孔６１ａが形成され、このガイド孔６１には押圧板５２のガイドピン５２ａが嵌挿している。さらにこの一方のリフトアーム６１の後端側には前記駆動手段５４の駆動ピン５５が嵌挿するガイド孔６１ｂが形成されている。
【００２４】
また一対のリフトアーム６１、６２のうち、他方のリフトアーム６２の先端は押圧板５２の軸５２ｂに回動自在に支承されている。
【００２５】
一方、リンク式アーム手段５３を駆動する駆動手段５４は、モータ７０と、このモータ７０の駆動力を駆動ピン５５に伝達するウォーム式歯車伝動手段７１とから構成されている。
【００２６】
なお、このウォーム式歯車伝動手段７１は、モータ７０の駆動軸に固着されたピニオンギャ７２、このピニオンギャ７２に歯合するアイドルギャ７３、このアイドルギャ７３に歯合するウォームホイール７４、およびこのウォームホイール７４に歯合するウォームギャ７５とからなり、このウォームギャ７５にはリンクアーム７６が固着され、その先端に駆動ピン５５が固着されている。
【００２７】
次に、上述した紙幣処理装置１の作用を説明し、併せて構成をより詳細に説明する。
【００２８】
図３に示すように、ガイド板４を介して紙幣Ｂを紙幣投入口３内に投入すると、その投入紙幣Ｂが図示せぬ紙幣検出センサーにより検出される。
【００２９】
そして、この紙幣検出センサーの検出信号に基づき図示せぬ制御装置は図示せぬ紙幣搬送用の駆動モータを駆動し、これにより紙幣搬送手段１０の各プーリ１２、１３、１４の一つを時計方向へ回転させる。
【００３０】
このように各プーリ１２、１３、１４の一つが時計方向へ回転すると、それに連動して一対の紙幣搬送ベルト１１が時計方向へ回転し、投入紙幣Ｂを紙幣案内通路５に沿ってその下流へ搬送する。
【００３１】
一方、投入紙幣Ｂが紙幣案内通路５の上流域５ａを通過すると、当該投入紙幣Ｂは磁気センサー３０及び図示せぬ光センサー等からなる紙幣識別手段３１に検出され、その検出信号に基づき図示せぬ制御装置は投入紙幣Ｂの真偽を判別する。
【００３２】
そして、この制御装置により投入紙幣Ｂが偽券と判断されると、当該制御装置は図示せぬ紙幣搬送用の駆動モータを逆転駆動し、これにより一対の紙幣搬送ベルト１１を逆転（反時計方向へ回転）させて、投入紙幣Ｂを紙幣投入口３から返却する。
【００３３】
一方、上述した図示せぬ制御装置は投入紙幣Ｂを真券と判断すると、当該制御装置は図示せぬ紙幣搬送用の駆動モータの正転を維持し、これにより一対の紙幣搬送ベルト１１をさらに正転させて、図４で示すように、投入紙幣Ｂの先端Ｃを略Ｊ字形状の紙幣案内通路５の下流端５ｃに至らせる。なお、投入紙幣Ｂの先端Ｃが紙幣案内通路５の下流端５ｃに至ると、それを検出する図示せぬセンサーの紙幣検出信号に基づき図示せぬ制御装置は紙幣搬送用の駆動モータの正転を停止し、それにより投入紙幣Ｂの搬送が停止される。
【００３４】
なお、図４で示すように、投入紙幣Ｂが真券と見做され、その投入紙幣Ｂの先端Ｃが略Ｊ字形状の紙幣案内通路５の下流端５ｃに至った時点で、その搬送が停止された状態、いわゆる紙幣のエスクロ（一時保留）状態に至ると、投入紙幣Ｂの先端Ｃと後端Ｄとは、上下に重なった状態、即ち紙幣案内通路５の中流の折れ曲り域５ｂを中心として二つ折り曲げ状態に位置決めされることとなる。
【００３５】
そして、この投入紙幣Ｂのエスクロ状態において、商品の払い出しが完了すると、その完了信号に基づき、図示せぬ制御装置は紙幣二つ折り曲げ収容手段５０を構成する紙幣押圧手段５１の駆動手段５４に駆動信号を送出し、これにより駆動手段５４のモータ７０が一方向へ回転する。
【００３６】
このように紙幣二つ折り曲げ収容手段５０のモータ７０が一方向へ回転すると、ウォーム式歯車伝動手段７１を介して駆動ピン５５が時計方向への回転を開始する。
【００３７】
そして、駆動ピン５５が時計方向への回転を開始すると、リンク式アーム手段５３の一方のリフトアーム６１が軸５２ｃを中心に反時計方向へ回転を開始し、これに連動して他方のリフトアーム６２が軸６０を中心に時計方向へ回転を開始するので、紙幣押圧手段５１の押圧板５２が図５の矢印で示すように下降を開始する。
【００３８】
このように、紙幣押圧手段５１の押圧板５２が下降を開始すると、図４に示すように、先端Ｃと後端Ｄとが上下に重なった状態、即ち紙幣案内通路５の中流の折れ曲り域５ｂを中心として二つ折り曲げ状態に位置決めされ投入紙幣Ｂは、図６で示すように、押圧板５２の押圧力により、二つ折り曲げ状態のまま、紙幣案内通路５の一対の搬送ベルト１１、およびこれに圧接するプレッシャーローラ２１、２２、２３、２４（図５）間から脱落し、図５で示すように、二つ折り曲げ状態のままスタッカ手段４３のスタックテーブル４１と押圧板５２との間に押圧挟持されることとなる。
【００３９】
そして、図５の状態から駆動ピン５５が時計方向への一回転を終了すると、紙幣押圧手段５１の押圧板５２が図１の初期位置に復帰し、二つ折り曲げ状態に折り曲げられた投入紙幣Ｂは、スタッカ４０内において、スタックテーブル４１と紙幣搬送路５の両側方に配設された一対のスタックガイド板９０との間に挟持された状態で収容されることとなる。
【００４０】
以後、同様にして真券と見做された投入紙幣Ｂは紙幣二つ折り曲げ収容手段５０により二つ折り曲げ状態に折り曲げられたまま、スタッカ４０内に積載収容されることとなる。
【００４１】
【発明の効果】
以上説明したように、この発明の紙幣処理装置では、紙幣を二つ折りに折り曲げてスタッカ内に収容する紙幣二つ折り曲げ収容手段を配設するようにしたから、紙幣搬送路およびスタッカの長さを、従来のものと比較して著しく短く設定することができ、これにより紙幣処理装置の可及的な小型化を図り、小型の自動販売機、ゲーム機等の機器内にも紙幣処理装置を配設することができる。
【図面の簡単な説明】
【図１】図１はこの発明に係わる紙幣処理装置の概念断面図。
【図２】図２は図１のＡＡ概念断面図。
【図３】図３はこの発明に係わる紙幣手処理装置の作用を示す概念断面図。
【図４】図４はこの発明に係わる紙幣手処理装置の作用を示す概念断面図。
【図５】図５はこの発明に係わる紙幣手処理装置の作用を示す概念断面図。
【図６】図６はこの発明に係わる紙幣手処理装置の作用を示す要部破断概念断面図。
【符号の説明】
１…紙幣処理装置
５…紙幣案内通路
５ａ…上流端
５ｂ…中流の折れ曲り域
５ｄ…直線部分
４０…スタッカ
５０…紙幣二つ折り曲げ収容手段
５１…紙幣押圧手段
５２…押圧板
５３…リンク式アーム手段
５４…駆動手段
Ｂ…投入紙幣
【図１】
2004133676.tif 000003
【図２】
2004133676.tif 000004
【図３】
2004133676.tif 000005
【図４】
2004133676.tif 000006
【図５】
2004133676.tif 000007
【図６】
2004133676.tif 000008
【手続補正書】
【提出日】平成14年10月18日(2002.10.18)
【手続補正１】
【補正対象書類名】図面
【補正対象項目名】全図
【補正方法】変更
【補正の内容】
【図１】
2004133676.tif 000009
【図２】
2004133676.tif 000010
【図３】
2004133676.tif 000011
【図４】
2004133676.tif 000012
【図５】
2004133676.tif 000013
【図６】
2004133676.tif 000014